(57)【要約】【課題】所定方向に沿って移動する電子基板と固定された電子基板とが配線によって接続され、移動する電子基板の位置によって電子基板同士の距離が異なる構成において、配線の断線を抑制することができる配線収納構造及び遊技機を提供すること。【解決手段】この配線収納構造は、第一電子基板４０ｄと第二電子基板４０ｇの距離が近くなり配線４０ｈが余る状態において、第一電子基板４０ｄから延出する配線４０ｈを収納領域に向けて案内するとともに、第二電子基板４０ｇから延出する配線４０ｈを移動領域から離間する方向に案内することにより、収納領域に配線４０ｈを収納させ易くして、意図しない箇所で配線４０ｈが曲がることを防ぎ、配線４０ｈの断線等の不具合を抑制する。【選択図】図１０
2010051382.tif 000002
【特許請求の範囲】
【請求項１】
所定方向に沿って移動領域内を繰り返し移動可能な第一電子基板と、該第一電子基板の移動領域外に固定された第二電子基板と、を接続する配線を収納する配線収納構造であって、
前記第一電子基板は、前記移動領域内における両端部である第一位置と第二位置との間を移動可能に構成されており、
前記第二電子基板は、前記第二位置より前記第一位置に近くなるように配置されており、
前記配線は、可撓性を有し、かつ一端が前記第一電子基板に接続されて該第一電子基板と共に前記所定方向に沿って移動可能であって、他端が前記第二電子基板に接続されており、
前記第一電子基板から延出した前記一端側の配線及び前記第二電子基板から延出した前記他端側の配線は、延出方向変更手段によって延出方向と異なる方向に向けて曲げられており、
前記延出方向変更手段は、前記第一電子基板から延出した前記配線を前記第二電子基板の近傍に配置された収納領域に向けて案内する第一案内部と、前記第二電子基板から延出した前記配線を前記移動領域から離間する方向に一旦案内する第二案内部と、を有する、配線収納構造。
【請求項２】
前記第一案内部は、前記所定方向に沿って移動する前記配線と当接可能な傾斜面を有しており、
前記配線は、前記傾斜面に沿って前記収納領域に向けて案内される、請求項１に記載の配線収納構造。
【請求項３】
前記第二案内部は、前記移動領域から離間する方向に前記配線を一旦案内する機能と、該配線を前記収納領域に向かって案内する機能と、を有する、請求項１又は請求項２に記載の配線収納構造。
【請求項４】
前記第二案内部は、前記配線が延出した前記第二電子基板の側面と対向して配置され、該第二電子基板から延出した前記配線を前記移動領域から離間する方向に曲げるリブを有する、請求項１から請求項３のいずれかに記載の配線収納構造。
【請求項５】
前記収納領域の少なくとも一側面を覆う収納室が更に設けられている、請求項１から請求項４のいずれかに記載の配線収納構造。
【請求項６】
前記第二電子基板は、前記所定方向と直交する方向において前記移動領域と重複するように配置されている、請求項１から請求項５のいずれかに記載の配線収納構造。
【請求項７】
前記収納領域は、前記第一電子基板及び前記第二電子基板より下方に配置されている、請求項１から請求項６のいずれかに記載の配線収納構造。
【請求項８】
遊技を実現する遊技装置体と、
遊技装置体を内包する遊技機枠と、を有し、
前記遊技機枠又は前記遊技装置体には、上記請求項１から請求項７のいずれかに記載の配線収納構造が設けられている遊技機。
【発明の詳細な説明】
【技術分野】
【０００１】
本発明は、２つの電子基板同士を接続する配線を収納する配線収納構造及び配線収納構造を有する遊技機に関する。
【背景技術】
【０００２】
パチンコ機、スロットマシン等の遊技機には、この遊技機の動作を制御する制御基板が設けられている。制御基板は、演算処理手段としてのＣＰＵ、記憶素子としてのＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を備えて構成されており、例えば、景品球等の払出制御、電動役物の動作制御、表示装置の画像制御、特別遊技の当否抽選等、遊技機の動作を制御する。
【０００３】
制御基板によって各種部品を制御するためには、各種部品に電子基板を接続し、この電子基板と制御基板とを電気的に接続することが必要である。しかし、制御基板と電子基板部材とを直接接続できないことがある。このような場合には、各種部品に接続された電子基板と接続可能な位置に中継基板を配置し、この中継基板を介して各種部品と接続された電子基板と制御基板と接続することが行われている。
【０００４】
また、各種部材と中継基板との位置関係によっては、中継基板と各種部材に接続された電子基板とを接続する配線が複雑な経路となることがある。このような場合には、フレキシブルフラットケーブルのような屈曲自在な配線が用いられている（例えば、特許文献１参照）。
【０００５】
【特許文献１】特開２００４−２６７４２７号公報
【発明の開示】
【発明が解決しようとする課題】
【０００６】
更に、部品が可動部材の場合には、電子基板は可動部材と共に移動することとなり、可動部材の位置によって配線の配置状態は変化する。また、可動部材に位置によって可動部材と接続された電子基板と中継基板との距離が変化する。可動部材がどの位置においても電子基板と中継基板との接続状態を維持しなければならないため、配線の長さは、電子基板と中継基板とが最も離れる状態において、電子基板と中継基板とを接続することができる長さが少なくとも必要である。
【０００７】
例えば、可動部材が水平方向に繰り返し移動可能に構成された遊技機において、可動部材に接続された電子基板が移動する移動領域における略中央に中継基板が配置されている場合には、電子部材と中継基板との距離が最も離れるのは、移動部材が移動領域の左端部又は右端部に位置する状態である。電子基板は、左端部に位置しても右端部に位置しても、中継基板と略同じ距離だけ離れる。したがって、電子基板と中継基板とを接続する配線の長さは、電子部材がいずれかの端部に位置した状態における中継基板との距離とすることができる。
【０００８】
しかし、例えば、可動部材が水平方向に繰り返し移動可能に構成された遊技機において、可動部材と接続された電子基板が移動可能な領域における中央より左側に中継基板が配置されている場合には、電子基板が左端部に位置する状態より右端部に位置する状態の方が、電子基板と中継基板とは遠くなる。したがって、配線の長さは、少なくとも電子基板が右端部に位置する状態において電子基板と中継基板とを接続する長さが必要となる。このような構成では、電子基板が左端部に位置すると、電子基板と中継基板の距離は配線の長さより短くなり、電子基板が右端部に位置する状態と比べて配線が緩む。配線が緩むと、電子基板が移動する際における配線の引っ掛かりにより断線したり、電子基板が繰り返し移動することにより意図しない箇所で配線が屈曲して断線したりするおそれがある。
【０００９】
本発明は、上記の事情に鑑みて為されたものであり、所定方向に沿って移動する電子基板と固定された電子基板とが配線によって接続され、移動する電子基板の位置によって電子基板同士の距離が異なる構成において、配線の断線等の不具合を抑制することができる配線収納構造及び遊技機を提供することを例示的課題とする。
【課題を解決するための手段】
【００１０】
本発明の例示的な側面としての配線収納構造は、所定方向に沿って移動領域内を繰り返し移動可能な第一電子基板と、第一電子基板の移動領域外に固定された第二電子基板と、を接続する配線を収納する配線収納構造であって、第一電子基板は、移動領域内における両端部である第一位置と第二位置との間を移動可能に構成されており、第二電子基板は、第二位置より第一位置に近くなるように配置されており、配線は、可撓性を有し、かつ一端が第一電子基板に接続されて第一電子基板と共に所定方向に沿って移動可能であって、他端が前記第二電子基板に接続されており、第一電子基板から延出した一端側の配線及び第二電子基板から延出した他端側の配線は、延出方向変更手段によって延出方向と異なる方向に向けて曲げられており、延出方向変更手段は、第一電子基板から延出した配線を第二電子基板の近傍に配置された収納領域に向けて案内する第一案内部と、第二電子基板から延出した配線を移動領域から離間する方向に一旦案内する第二案内部と、を有する。
【００１１】
第一電子基板は、第一位置と第二位置が両端部である移動領域内を所定方向に沿って移動可能に構成されており、第二電子基板は、移動領域外であってかつ第二位置より第一位置の近くに固定されている。第一電子基板と第二電子基板との距離は、第一電子基板の位置によって異なり、第二位置よりも第一位置の方が短くなる。配線の長さは、第一電子基板が第二位置において第一電子基板と第二電子基板を接続することができる長さが少なくとも必要である。第一電子基板が第一位置とあると、第一電子基板と第二電子基板との距離は短くなり、配線の緩みが大きくなる。すなわち、第一電子基板が第一位置であると、第一電子基板と第二電子基板を接続するための必要長さよりも配線が長く、配線が余った状態となる。この余った配線の長さを余剰長さとして以下説明する。
【００１２】
第一電子基板は、移動領域内を所定方向に沿って繰り返し移動して、第一電子基板の配置によって配線の緩みが小さい状態と配線の緩みが大きい状態とを繰り返し実現する。配線の緩みが大きくなる第一位置となると、第二電子基板と第一電子基板との距離が短いため、余剰長さの配線が意図しない箇所で屈折するおそれがある。しかし、本発明は、余剰長さの配線を収納する収納領域を有しており、延出方向変更手段によって第一電子基板から延出する配線を収納領域に向けて案内するため、第一電子基板が第一位置に配置された際に、余剰長さの配線を収納して配線の断線等の不具合を抑制することが可能となる。
【００１３】
第一電子基板及び第二電子基板は、部品間を電気的に接続するために必要な導体パターンを有する基板であり、例えばプリント配線基板、モジュール基板を含む概念である。配線は、第一電子基板と第二電子基板とを電気的に接続することができ、かつ可撓性を有するものであり、例えば、フレキシブルフラットケーブル、ハーネスを例示することができる。
【００１４】
延出方向変更手段は、第一電子基板から延出した配線を収納領域に向けて案内する第一案内部と、第二電子基板から延出した配線を移動領域から一旦離間する方向に案内する第二案内部と、を有する。第一案内部は、第一電子基板から延出した配線を所定方向から収納領域に向かう方向に曲げる構成であればよい。例えば、第一電子基板が第二位置から第一位置に向かう進行方向における第一位置より前方を塞ぐような形状として、第一電子基板から延出した配線を進行方向から異なる方向に案内する構成が例示できる。
【００１５】
第一案内部は、第一電子基板と共に移動可能であって、常に配線を収納領域に向けて導くように構成してもよいし、所定位置に固定され第一電子基板が第一位置の近くに移動することによって配線と当接する構成等、第一電子基板が所定位置の際に配線を収納領域に向けて導くように構成してもよい。更に、第一案内部は、第一電子基板が移動する移動領域内に配置されていてもよいし、移動領域の所定方向における延長線上に配置されていてもよい。移動領域内等に第一案内部を配置することにより、第一電子基板と共に移動する配線の移動方向を塞いで配線を所定方向に沿った方向から異なる方向に容易に案内することができる。
【００１６】
このように構成された第一案内部によって配線を所定方向に沿う方向から収納領域に向けて案内することにより、第一電子基板が第一位置となった状態において余剰長さの配線を所定方向と異なる方向に導くことができる。例えば、所定方向に沿った移動領域の近傍に余剰長さの配線の収納領域がない場合には、余剰長さの配線を吸収する空間がなく、意図しない箇所で配線が屈曲等して断線等の不具合を発生させおそれがある。しかし、第一案内部によって第一電子基板から延出する配線を収納領域に導くことにより、意図しない箇所での配線の屈曲等を防ぎ、配線の断線等の不具合を抑制することができる。
【００１７】
第二案内部は、第二電子基板から延出した配線を移動領域から離間する方向に一旦導く構成であればよい。例えば、第二電子基板から延出した配線と当接する形状として、配線が接触することにより、移動領域から離間する方向に配線を導く構成が例示できる。移動領域から配線を離間する方向に一旦導くことにより、第二電子基板から延出した配線を第一電子基板から離間する方向に導いて余剰長さの配線を吸収する領域を設けることができる。第二案内部は、第二電子基板から延出した配線を少なくともいずれかの箇所で移動領域から離間する方向に導くことができればよく、第二電子基板に隣接して配置されていてもよいし、第二電子基板と離間して配置されていてもよいし、第二電子基板と一体化して設けてもよい。
【００１８】
第一案内部は、第一電子基板から延出する配線と当接可能な傾斜面を有しており、配線は、傾斜面に沿って収納領域に向けて案内されることが望ましい。この構成によれば、第一電子基板から延出した配線を傾斜面に沿わせて収納領域に向け円滑に案内することが可能となる。また、配線と接触する部分を面状にすることにより、突起や段差を有する構成に比べて配線の引っ掛かりを防止することができ、配線の断線等の不具合を更に抑制することが可能となる。更に、傾斜面の傾斜角度を変化させることで配線を案内すべき方向を適宜変化させることができるため、設計変更等により収納領域の配置を換える場合であっても適宜対応することが可能となる。
【００１９】
第二案内部は、移動領域から離間する方向に配線を一旦案内する機能と、配線を収納領域に向かって案内する機能と、を有することが望ましい。第二案内部によって配線を収納領域に導くように構成することにより、配線の第二電子基板側も収納領域に向けて導くことができる。第一案内部は、配線の第一電子基板側を収納領域に導くため、第一電子基板側及び第二電子基板側の両側から収納領域に配線を導くことが可能となる。したがって、余剰長さの配線を収納領域に確実に導き易くなり、配線の屈曲等による不具合を更に抑制することができる。なお、移動領域から離間する方向に配線を一旦案内する機能と配線を収納領域に向かって案内する機能は、第二案内部の同一部位によって同時に発揮されるように構成されていてもよいし、第二案内部の別の部位によって別個に発揮されるように構成されていてもよい。
【００２０】
第二案内部は、配線が延出した第二電子基板の側面と対向して配置され、第二電子基板から延出した配線を移動領域から離間する方向に曲げるリブを有することが望ましい。この構成の第二案内部によれば、第二電子基板から延出した配線を収納領域に向けて曲げることができ、かつ曲げた配線をリブに沿って収納領域に向けて案内することができるため、より確実に第二電子基板から延出した配線を収納領域に案内して、余剰長さの配線を収納領域に収納することが可能となる。
【００２１】
また、収納領域の少なくとも一側面を覆う収納室が更に設けられていることが望ましい。収納領域は、余剰長さの配線が収納される領域であり、収納領域の周囲に部品等が配置されている場合には、収納された配線が周囲の部品等に引っ掛かることによる断線等の不具合を生じるおそれがある。しかし、周囲に部品等が配置されている収納領域の一側面を覆う収納室を設けることにより、周囲の部品との干渉を防ぎ、周囲の部品等に基づく不具合を抑制することができる。
【００２２】
更に、収納室を設けることにより、収納室の内面に沿って配線を収納させることが可能となり、配線の収納を円滑に行うことが可能となる。例えば、第二案内部として第二電子基板から延出した配線を曲げるリブとした場合は、収納室の内面とリブとの間に曲げた配線を導くことにより、配線を両側方からガイドすることができ、収納領域に円滑に配線を収納することが可能となる。
【００２３】
また、第二電子基板は、所定方向と直交する方向において移動領域と重複するように配置されていることが望ましい。この構成によれば、配線収納構造の配置スペースの効率化を図ることができる。この配置スペースの効率化により、限られた領域にて部品を配置する遊技機において、相対的に他の部品の配置スペースの自由度を向上させることが可能となる。
【００２４】
更に、収納領域は、第一電子基板及び第二電子基板より下方に配置されていることが望ましい。収納領域は、第一電子基板及び第二電子基板から延出して互いを接続する配線が収納される領域である。この収納領域を第一電子基板及び第二電子基板より下方に配置することにより、配線の自重によって各電子基板等から延出した配線を収納領域に導き易くなり、更に円滑に配線を収納領域に導き易くすることができる。なお、収納領域が配置される第一電子基板及び第二電子基板より下方とは、自重によって配線が垂れ下がる方向である鉛直下方である。また、収納領域は、第一電子基板及び第二電子基板の直下に配置される構成に限られず、第一電子基板及び第二電子基板から延出した配線が垂れ下がって案内されるように配置される構成を含む概念である。
【００２５】
また、本発明の他の例示的な側面としての遊技機は、遊技を実現する遊技装置体と、遊技装置体を内包する遊技機枠と、を有し、遊技機枠又は遊技装置体には、上記に記載の配線収納構造が設けられている。この遊技機は、余剰長さの配線を収納する収納領域を有しており、延出方向変更手段によって第一電子基板から延出する配線を第二電子基板の近傍に配置された収納領域に向けて案内するため、第一電子基板が第一位置に配置された際に余剰長さの配線を収納領域に案内し、配線の断線等の不具合を抑制することが可能となる。さらに、この構成の遊技機によれば、意図しない断線等の不具合を防ぐことにより、遊技機の信頼性を向上させて、遊技者に安心して遊技を行わせることが可能となる。
【００２６】
なお、遊技装置体とは、遊技機における遊技を実現するものであり、例えば、パチンコ遊技機であれば、遊技媒体の流下による遊技を実現する遊技盤、スロットマシンであれば、絵柄の組合せによる遊技を実現するリールを例示できる。
【００２７】
また、遊技機枠とは、遊技装置体を内包する枠部材又は枠部材の集合体であって、遊技装置体の側方や前方を囲むためのものである。例えば、遊技機がパチンコ遊技機である場合には、遊技装置体としての遊技盤を内包する筐体枠、機枠又は前面枠若しくはこれらの組合せ等が遊技機枠に該当し、遊技機がスロットマシンである場合には、遊技装置体としてのリール（回胴装置）を内包するキャビネット（筐体枠及び／又は前面枠）が遊技機枠に該当する。もちろん、パチンコ遊技機やスロットマシン以外の遊技機においても、それら遊技機における遊技を実現する遊技装置体（例えば、コインゲーム機における遊技盤やアーケードマシンにおけるゲーム画像表示装置等）を内包する枠部材等がこの遊技機枠に該当する。
【００２８】
本発明の更なる目的又はその他の特徴は、以下添付図面を参照して説明される好ましい実施の形態によって明らかにされるであろう。
【発明の効果】
【００２９】
本発明によれば、第一電子基板の移動領域の両端部である第一位置と第二位置で第一電子基板と第二電子基板の距離が異なる構成において、第一電子基板と第二電子基板の距離が近くなり配線が余る状態で、延出方向変更手段によって余剰長さの配線を収納領域に向けて案内するため、余剰長さの配線を収納領域に収納して配線の断線等の不具合を抑制することが可能となる。
【発明を実施するための最良の形態】
【００３０】
以下、本発明の実施の形態について図面を用いて説明する。図１は、本発明の実施の形態１に係る遊技機としてのパチンコ機２の正面図である。このパチンコ機２は、枠体（遊技機枠）３、遊技盤ユニット、前面ガラス（前面透明板）１０、発射ユニット（不図示）、貯留皿１４を有し、遊技盤ユニットには、遊技媒体としての球の流下による遊技を実現するための遊技領域が形成されている。
【００３１】
パチンコ機２は、遊技者が後述する発射ハンドル１５を操作することによって、遊技領域１６に向けて球が発射ユニットによって発射され、球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３２】
パチンコ機２の枠体３は、後述する遊技盤ユニットを保持するためのもので、このパチンコ機２の周囲側面及び前方又はそれに加えて後方を囲むように構成される。枠体３の内部側には、遊技盤ユニットの他にも後述する各種制御基板や遊技媒体用の経路等各種機構部品が配置され、枠体３によって周囲側面及び前方又はそれに加えて後方からのパチンコ機２内部側への不正アクセスが防止されるようになっている。
【００３３】
パチンコ機２の周囲を囲む筐体枠４、その内側にヒンジ部２２によって前方開閉可能に揺動支持されて遊技盤ユニットを保持する機枠９、機枠９の前方にヒンジ部２２によって前方開閉可能に揺動支持されて前面ガラス１０とその周囲を装飾する装飾部材３２とを保持する装飾枠１２とを有して枠体３が構成される。なお、前面ガラス１０は、枠体３内部側に保持された遊技盤（遊技装置体）６を前方から遊技者が視認することができるようにするための透明部材である。
【００３４】
貯留皿１４は、遊技者の持ち球を貯留するためにパチンコ機２の前面に配置された皿部材であって、本実施の形態においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００３５】
遊技盤ユニットは、遊技盤面６ａ側の略中央にセンター役物７が配置された遊技盤６を有しており、その遊技盤面６ａには多数の遊技釘も配置されている。センター役物７の中央部には、図柄表示装置７ａが配置されると共に、この図柄表示装置７ａの表示画面（映像表示面）７ｂを露出させるための開口部７ｄが形成されている。
【００３６】
図柄表示装置７ａは、例えば、液晶表示装置・有機ＥＬディスプレイ・ＬＥＤ等により構成されて遊技者が遊技盤面６ａ側から視認可能となるように配置され、その表示画面７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００３７】
図柄表示装置７ａの下部には、図柄表示装置の前方において左右方向に繰り返し移動可能な第一可動役物４０ａが設けられており、図柄表示装置７ａの右方には、左側面を中心にして回転方向に移動可能な第二可動役物７ｅが設けられている。第一可動役物４０ａ及び第二可動役物７ｅは、役物基板が接続されており、この役物基板と後述する演出制御基板とが中継基板を介して電気的に接続され、演出制御基板によって演出制御される。
【００３８】
遊技盤６は、その遊技盤面６ａ側に球（遊技媒体）２３の流下による遊技を実現するための遊技領域１６を構成するための遊技装置体であり、遊技盤面６ａを前方から遊技者にとって視認可能となるように枠体３（本実施の形態においては、枠体３の一部としての機枠９。）に保持されている。その遊技盤面６ａには略円形状に周囲を囲むようにレール飾りが取り付けられており、レール飾りの内周面が遊技盤面６ａに対して立設するように配置されている。そして、その内周面によって画定され、内周面に面した略円形状の領域が遊技領域１６となっている。
【００３９】
遊技釘は、遊技領域１６を流下する球２３と衝突してその流下方向を変更させるものであり、多数が遊技領域内に配置されている。また、遊技領域１６には、普通入賞口２８、中央始動口２９、及び中央大入賞口３１等が配置されており、流下する球２３が各流入口に流入したり、遊技釘に衝突したりすることによって、球２３による流下遊技を楽しむことができるようになっている。
【００４０】
遊技盤６の裏面側には、パチンコ機２の全体の制御を行う主制御基板を収容した主制御基板ケース３５と、図柄表示装置７ａの画像演出や、第一可動役物４０ａの可動演出等遊技演出の制御を行う演出制御基板（図示せず）を収容した演出制御基板ケース３６と、景品球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００４１】
次いで、図３から図１３に基づいて、第一可動役物４０ａに接続された役物基板と、演出制御基板と電気的に接続された中継基板と、を接続する配線の収納構造について詳細に説明する。本実施の形態では、遊技装置体としての遊技盤６に装着されたセンター役物７に配線収納構造が設けられている。以下の説明における上下、左右及び前後は、遊技盤６の正面側からパチンコ機２を視認した際の方向であり、図面にて図示する。図３、図５、及び図７は、第一可動役物４０ａを備える役物ユニット４０を左上方から見た斜視図であり、図４及び図６は、役物ユニット４０の正面図である。図８は、役物ユニットの右側面図であり、図９及び図１０は図８のＡ−Ａ断面図である。なお、図４から図７は、説明のために後述するプレート部及び外周部を省略した役物ユニット４０を示した図である。
【００４２】
役物ユニット４０は、パチンコ機２の正面から遊技者が視認可能な第一可動役物４０ａと、第一可動役物４０ａを支持する支持部４０ｂと、支持部４０ｂと接続された駆動源としての第一モータ４０ｃと、第一電子基板としての役物基板４０ｄと、支持部４０ｂ及び役物基板４０ｄが固定され、支持部４０ｂ及び役物基板４０ｄと共に所定方向（図示する左右方向）にスライド移動するプレート部４０ｅと、プレート部４０ｅをスライド移動させる駆動源としての第二モータ（図示せず）と、プレート部４０ｅの移動を補助するガイド部４０ｆと、役物基板４０ｄの移動領域の下方に固定された第二電子基板としての中継基板４０ｇと、役物基板４０ｄと中継基板４０ｇとを電気的に接続する配線４０ｈと、中継基板４０ｇに隣接して配置され、内部に配線４０ｈを収納可能な収納領域を内部に有する収納室４０ｋと、第二モータ等の各種部品が接続され、役物ユニット４０のベースとなるベース部４０ｒと、ベース部４０ｒの上方に配置され、役物ユニット４０の前方及び側方を覆う外周部４０ｓと、を備える。
【００４３】
プレート部４０ｅの後側面には、第二モータによって回転駆動されるギア（図示せず）と噛み合うラック（図示せず）が設けられている。プレート部４０ｅは、第二モータの回転駆動によって、ガイド部４０ｆに沿って左右方向にスライド移動する。役物基板４０ｄ及び支持部４０ｂは、プレート部４０ｅの下面側に固定されており、役物基板４０ｄ、支持部４０ｂ、及び第一可動役物４０ａは、プレート部４０ｅと共に左右方向にスライド移動する。
【００４４】
図３、図４、及び図５は、プレート部４０ｅが左端部に位置した状態を示した図であり、この状態における役物基板４０ｄの位置を第二位置とする。図６及び図７は、プレート部４０ｅが右端部に位置した状態を示した図であり、この状態における役物基板４０ｄの位置を第一位置とする。役物基板４０ｄは、第一位置と第二位置との間を繰り返しスライド移動可能に構成されており、第一位置と第二位置を含み、第一位置と第二位置との間の領域が役物基板４０ｄの移動する移動領域となる。
【００４５】
中継基板４０ｇは、左右方向において役物基板４０ｄの移動領域の中心より右側（第一位置側）に配置されている。役物基板４０ｄと中継基板４０ｇとの距離は、役物基板４０ｄの位置によって異なり、役物基板４０ｄが第二位置において最も距離が離れる。配線４０ｈの長さは、役物基板４０ｄと中継基板４０ｇとの距離が最も離れる状態を基準に設定されており、役物基板４０ｄが第二位置において役物基板４０ｄと中継基板４０ｇとを接続できる長さである。配線４０ｈは、役物基板４０ｄの位置に応じて緩みの度合いが変化し、役物基板４０ｄが第二位置となると緩みが小さく、役物基板４０ｄが第一位置となると緩みが大きくなる。また、中継基板は、上下方向において役物基板の移動領域と重なって配置されており、配線収納構造の配置スペースの効率化に寄与している。
【００４６】
次いで、延出方向変更手段について詳細に説明する。延出方向変更手段は、役物基板４０ｄから延出する配線４０ｈを中継基板４０ｇの近傍に配置された収納室４０ｋ内の収納領域に向けて案内する第一案内部としての傾斜面４０ｍと、中継基板４０ｇから延出した配線４０ｈを移動領域から離間する方向に一旦案内する第二案内部としてのリブ４０ｎと、から構成される。
【００４７】
配線４０ｈは、役物基板４０ｄ及び中継基板４０ｇの右側から延出している。中継基板４０ｇの右側には、収納室４０ｋが隣接して配置されている。収納室４０ｋは、内部に収納領域が形成されており、外側は収納領域を覆う収納室として機能している。収納室４０ｋの上方には、ベース部４０ｒが配置されている。ベース部４０ｒの右側面の一部には切り欠き部が形成されており、切り欠き部の上部に傾斜面４０ｍが設けられている。傾斜面４０ｍは、役物基板４０ｄから延出した配線４０ｈと対向するように設けられている。
【００４８】
図１２は、傾斜面４０ｍを含んだＣ部分の拡大図である。傾斜面４０ｍは、第一位置の役物基板４０ｄの右下方に設けられており、役物基板４０ｄが第一位置で役物基板４０ｄから延出した配線４０ｈが当接するように形成されている。配線４０ｈは、自重によって下方に曲がり、右下方に配置された傾斜面に当接する。役物基板４０ｄから延出した配線４０ｈは、傾斜面４０ｍに沿って、下方に配置された収納室４０ｋ内の収納領域に向かって案内される。
【００４９】
中継基板４０ｇの右方には、第二案内部としてのリブ４０ｎが設けられている。図１１は、リブ４０ｎを含んだＢ部分の拡大図であり、リブ４０ｎは、中継基板４０ｇの右側から延出した配線４０ｈと当接する位置に設けられている。リブ４０ｎは、収納室４０ｋの左内面と対向して配置されており、この収納室４０ｋの左内面とリブ４０ｎとの間に中継基板４０ｇから延出した配線４０ｈが配置される。また、リブ４０ｎの先端には、収納室４０ｋの左内面側に突出した突出部４０ｐが形成されている。この突出部４０ｐによって、配線４０ｈが収納室４０ｋの左内面側に押しつけられ、配線４０ｈが収納室４０ｋの左内面に沿って収納され易くなる。リブ４０ｎは、移動領域から離間する方向に配線４０ｈを一旦案内する機能と、配線４０ｈを収納領域に向かって案内する機能と、同時に発揮するように構成されており、配線４０ｈを移動領域から離間させつつ収納領域に向かうように案内する。
【００５０】
図９に示すように、役物基板４０ｄが第二位置となると、配線４０ｈの緩みは略なく、配線４０ｈは傾斜面４０ｍと接触していない。しかし、中継基板４０ｇから延出した配線４０ｈはリブ４０ｎによって下方に曲げられている。したがって、役物基板４０ｄが第二位置における配線４０ｈは、リブ４０ｎによって案内された部分のみが収納室４０ｋ内の収納領域に収納されている。
【００５１】
そして、役物基板４０ｄが左側から右側に移動すると、図１０に示すように、役物基板４０ｄが第一位置となる。役物基板４０ｄが第一位置となると配線４０ｈの緩みが大きくなり、配線４０ｈが傾斜面４０ｍと当接して左下方に曲げられる。傾斜面４０ｍによって左右方向に移動する配線４０ｈを上下方向に向けて案内して、役物基板４０ｄの移動領域の下方に配置された収納室４０ｋ内の収納領域に向けて配線４０ｈを円滑に導くことができる。このように、傾斜面４０ｍ及びリブ４０ｎによって、余剰長さの配線４０ｈを収納室４０ｋ内の収納領域に導いて収納することにより、配線４０ｈが意図しない箇所で曲げられたり、押圧されたりすることを防ぎ、配線４０ｈの断線等の不具合を抑制することが可能となる。
【００５２】
更に、図１３に基づいて、第一可動役物４０ａ及び第二可動役物の位置と配線の収納領域の位置関係について説明する。図１３は、第一可動役物４０ａ及び第二可動役物７ｅの位置と配線４０ｈの収納領域の位置関係を示す説明図である。図１３では、説明のために役物ユニット４０の正面図において第二可動役物７ｅを模式的に点線で示している。第一可動役物４０ａは、役物基板４０ｄが第一位置となる位置（図１３における点線）と役物基板４０ｄが第二位置となる位置（図１３における実線）との間をスライド移動する。第二可動役物７ｅは、役物ユニット４０の右上方に配置されており、左側面に配置された軸（図示せず）を中心にして回転方向に移動する。すなわち、第二可動役物７ｅの移動領域は、図１３における位置を含む前方の領域となる。配線４０ｈの収納領域は、第一可動役物４０ａ及び第二可動役物７ｅの移動領域外に配置されている。傾斜面４０ｍ及びリブ４０ｎによって配線４０ｈの案内方向を変更することができるため、他の部品との関係で配置される収納領域に的確に配線４０ｈを導くことが可能となる。
【００５３】
次いで、このように構成された遊技機の遊技媒体を用いた遊技について説明する。図示しない球発射装置により球２３が発射されると、球２３はレール飾りの内周面に沿いつつ進行して遊技領域１６内の上部に至る。その後、球２３は、複数の通過軌跡に沿って移動し、遊技釘に衝突しつつ遊技領域１６を下方に流下する。あるものは普通入賞口２８に流入して一定数の景品球払出しの契機となり、あるものは通過ゲート３３を通過し、あるものはいずれの入賞口にも流入せずに遊技領域内最下部に位置するアウト口３０に流入してアウト球としてパチンコ機２の外部側へと排出される。そして、球２３の入賞口への流入等に伴って図柄表示装置７ａ、第一可動役物４０ａ及び第二可動役物７ｅによる演出が実施される。
【００５４】
球２３が通過ゲート３３を通過すると、その通過ゲート３３の通過に起因して状態変更抽選手段（不図示）による抽選が行われ、その抽選結果が当たりの場合に、中央始動口２９の開閉羽根が開放され、球が入球し易い状態を実現する。この中央始動口２９に流入すると、その流入に起因して図柄表示装置７ａの表示図柄７ｃが回転表示を開始し、その表示図柄７ｃが所定の図柄（例えば、「７・７・７」。）で停止表示すれば、図柄変動遊技における大当りが発生する。そして、中央大入賞口３１が開放して多量の入賞球を受け入れ、多量の景品球が貯留皿１４へと払い出されるようになっている。
【００５５】
以上、本発明の好ましい実施の形態を説明したが、本発明はこれらに限定されるものではなく、その要旨の範囲内で様々な変形や変更が可能である。なお、本実施の形態では、遊技装置体としての遊技盤６に装着されたセンター役物７に配線収納構造を設けているが、この構成に限られず遊技機枠としての枠体３、筐体枠４等に配線収納構造を設けてもよい。
【図面の簡単な説明】
【００５６】
【図１】本発明の実施の形態に係るパチンコ機の正面図である。
【図２】図１に示すパチンコ機の背面図である。
【図３】役物ユニットの右上方から見た斜視図である。
【図４】役物基板が第二位置の状態における役物ユニットの正面図である。
【図５】役物基板が第二位置の状態における役物ユニットを右上方から見た斜視図である。
【図６】役物基板が第一位置の状態における役物ユニットの正面図である。
【図７】役物基板が第一位置の状態における役物ユニットを右上方から見た斜視図である。
【図８】役物ユニットの右側面図である。
【図９】役物ユニットの役物基板が第二位置の状態における図８に示すＡ−Ａ断面図である。
【図１０】役物ユニットの役物基板が第一位置の状態における図８に示すＡ−Ａ断面図である。
【図１１】図９に示すＢ部分の拡大図である。
【図１２】図１０に示すＣ部分の拡大図である。
【図１３】第一可動役物及び第二可動役物の位置と配線の収納領域の位置関係を示す説明図である。
【符号の説明】
【００５７】
２：パチンコ機（遊技機）
３：枠体（遊技機枠）
４：筐体枠（枠体の一部）
６：遊技盤（遊技装置体）
６ａ：遊技盤面
７：センター役物
７ａ：図柄表示装置
７ｂ：表示画面（映像表示面）
７ｃ：表示図柄
７ｄ：開口部
７ｅ：第二可動役物
９：機枠（枠体の一部）
１０：前面ガラス（前面透明板）
１２：装飾枠（枠体の一部）
１４：貯留皿
１４ａ：上皿
１４ｂ：下皿
１４ｃ：球排出ボタン
１５：発射ハンドル
１６：遊技領域
２２：ヒンジ部
２３：球（遊技媒体）
２８：普通入賞口
２９：中央始動口
３０：アウト口
３１：中央大入賞口
３２：装飾部材
３３：通過ゲート
３５：主制御基板ケース
３６：演出制御基板ケース
３７：払出制御基板ケース
３８：電源基板ケース
３９：外部出力端子板
４０：役物ユニット
４０ａ：第一可動役物
４０ｂ：支持部
４０ｃ：第一モータ
４０ｄ：役物基板（第一電子基板）
４０ｅ：プレート部
４０ｆ：ガイド部
４０ｇ：中継基板（第二電子基板）
４０ｈ：配線
４０ｋ：収納室
４０ｍ：傾斜面（第一案内部）
４０ｎ：リブ（第二案内部）
４０ｐ：突出部
４０ｒ：ベース部
４０ｓ：外周部
【図１】
2010051382.tif 000003
【図２】
2010051382.tif 000004
【図３】
2010051382.tif 000005
【図４】
2010051382.tif 000006
【図５】
2010051382.tif 000007
【図６】
2010051382.tif 000008
【図７】
2010051382.tif 000009
【図８】
2010051382.tif 000010
【図９】
2010051382.tif 000011
【図１０】
2010051382.tif 000012
【図１１】
2010051382.tif 000013
【図１２】
2010051382.tif 000014
【図１３】
2010051382.tif 000015